(57)【要約】【課題】パーティションブースの外部に漏出する音声を軽減するという課題と、パーティションブース内において音声を適度に吸音するという課題とを、同時に解決する。【解決手段】パーティション１０は、床面に立設される。パーティション１０は、第１の領域１１０と、パーティション１０が床面に立設されたときに、第１の領域１１０より下方に位置する第２の領域１２０とを備える。第２の領域１２０は、第１の領域１１０よりも高い吸音率を有する。【選択図】図１
2012188904.tif 000002
【特許請求の範囲】
【請求項１】
床面に立設されるパーティションを備え、
前記パーティションは、
第１の領域と、
前記第１の領域よりも高い吸音率を有し、当該パーティションが床面に立設されたときに前記第１の領域よりも前記床面に近くなる位置に設けられた第２の領域と
を有することを特徴とするパーティション構造。
【請求項２】
前記第２の領域は、
前記パーティションに挟まれた第１の空間から発せられ、当該第１の空間以外の第２の空間に伝搬する音声の伝搬経路上の領域であり、
前記伝搬経路は、
前記パーティションが立設されている空間に面する天井を反射面として含む伝搬経路である
ことを特徴とする請求項１に記載のパーティション構造。
【請求項３】
前記第２の領域は、
前記パーティションに挟まれた第１の空間以外の第２の空間から発せられ、当該第１の空間に伝搬する音声の伝搬経路上の領域であり、
前記伝搬経路は、
前記パーティションが立設されている空間に面する天井を反射面として含む伝搬経路である
ことを特徴とする
請求項１に記載のパーティション構造。
【請求項４】
前記パーティションに挟まれた空間に隣接する空間の壁面よりも高い吸音率を有する吸音手段であって、当該壁面において、前記パーティションの前記第２の領域と同じ高さの位置に設けられた吸音手段をさらに備える
ことを特徴とする請求項１から３のいずれかに記載のパーティション構造。
【発明の詳細な説明】
【技術分野】
【０００１】
本発明は、パーティション構造に関する。
【背景技術】
【０００２】
図７は、従来のパーティション構造に対する反射音の伝搬経路の一例を示す図である。図７に示す室内７００には、パーティション７０２Ａ、パーティション７０２Ｂ、およびパーティション７０２Ｃが設置されている。これにより、室内７００には、空間７１２、空間７１４、空間７１６、空間７１８が形成されている。たとえば、これらのパーティションは、スチール板、アルミ板などの平板状の部材で表面が覆われている。このため、伝搬経路７３２が示すように、空間７１４の人物７２２から発せられ、パーティション７０２Ｂの下方に向かう音声は、パーティション７０２Ｂの下方、天井、および室内７００の壁面で反射され、空間７１２の人物７２４まで伝搬してしまう。また、伝搬経路７３４が示すように、人物７２２から発せられ、天井に向かう音声は、天井およびパーティション７０２Ｃの下方で反射され、空間７１６の人物７２６まで伝搬しまう。また、伝搬経路７３６が示すように、人物７２２から発せられ、床面に向かう音声は、床面、天井、およびパーティション７０２Ｃの下方で反射され、人物７２６まで伝搬してしまう。同様の原理から、人物７２４から発せられた音声は、人物７２２および人物７２６に伝搬してしまい、人物７２６から発せられた音声は、人物７２２および人物７２４まで伝搬してしまう。このように、空間７１２、空間７１４、空間７１６、空間７１８のいずれかの空間から発せられた音声は、少なくとも、パーティションが設置されている空間全体（空間７１２〜７１８）に面する天井で反射されて、さらに別の空間に伝搬する。
【０００３】
特許文献１には、パーティション本体を回り込む回折音を除去することを目的として、パーティション本体の縁部に振動板を有する吸音機構を設けることが記載されている。特許文献２には、騒音を吸収することを目的として、衝立内に吸音材層を設けることが記載されている。
【先行技術文献】
【特許文献】
【０００４】
【特許文献１】特開昭６２−２６６０１２号公報
【特許文献２】特開昭６３−０７３６００号公報
【発明の概要】
【発明が解決しようとする課題】
【０００５】
しかしながら、特許文献１に記載の技術では、音声が天井を反射して外部に漏出することを抑制することができない。また、特許文献２に記載の技術では、衝立の全面に亘って吸音材層が設けられているため、音声を過度に吸音してしまい、無響室にいるかのような違和感を、パーティションブース内のユーザーに感じさせてしまうなどの問題が生じる。このように、従来技術では、音声が天井で反射されて外部に漏出することを抑制するという課題と、パーティションブース内の音声を過度に吸音しないという課題とを、同時に解決することができない。
そこで、本発明は、パーティションブースの外部に漏出する音声を軽減するという課題と、パーティションブース内において音声を過度に吸音しないという課題とを、同時に解決することができる、パーティション構造を提供することを目的とする。
【課題を解決するための手段】
【０００６】
上記課題を解決するため、本発明は、床面に立設されるパーティションを備え、前記パーティションは、第１の領域と、前記第１の領域よりも高い吸音率を有し、当該パーティションが床面に立設されたときに前記第１の領域よりも前記床面に近くなる位置に設けられた第２の領域とを有することを特徴とするパーティション構造を提供する。前記第２の領域は、前記パーティションに挟まれた第１の空間から発せられ、当該第１の空間以外の第２の空間に伝搬する音声の伝搬経路上の領域であり、前記伝搬経路は、前記パーティションが立設されている空間に面する天井を反射面として含む伝搬経路であってもよい。また、前記第２の領域は、前記パーティションに挟まれた第１の空間以外の第２の空間から発せられ、当該第１の空間に伝搬する音声の伝搬経路上の領域であり、前記伝搬経路は、前記パーティションが立設されている空間に面する天井を反射面として含む伝搬経路であってもよい。また、前記パーティションに挟まれた空間に隣接する空間の壁面よりも高い吸音率を有する吸音手段であって、当該壁面において、前記パーティションの前記第２の領域と同じ高さの位置に設けられた吸音手段をさらに備えるようにしてもよい。
【発明の効果】
【０００７】
本発明によれば、パーティションブースの外部に漏出する音声を軽減するという課題と、パーティションブース内において音声を適度に吸音するという課題とを、同時に解決することができる。
【図面の簡単な説明】
【０００８】
【図１】実施形態に係るパーティション１０の外観を示す。
【図２】パーティション１０の断面を示す。
【図３（ａ）】パーティション構造の設置例を示す。
【図３（ｂ）】パーティション構造の設置例を示す。
【図４】パーティションブースの減音性能のシミュレーション結果を示す。
【図５】パーティション構造の他の構成例を示す。
【図６（ａ）】パーティション構造の他の設置例を示す。
【図６（ｂ）】パーティション構造の他の設置例を示す。
【図７】従来のパーティション構造に対する音響シミュレーションの結果を示す。
【図８】変形例における各領域を説明する図である。
【図９】(ａ)は、変形例１に係るパネルの例を示す斜視図である。(ｂ)は、(ａ)に示すパネルの断面図である。
【図１０】変形例１における会話音声及びマスキング音の伝搬経路を説明する図である。
【図１１】(ａ)は、変形例２に係るパネルの例を示す斜視図である。(ｂ)は、(ａ)に示すパネルの断面図である。
【図１２】変形例２における会話音声及びマスキング音の伝搬経路を説明する図である。
【図１３】変形例３に係るパネルの例を示す断面図である。
【図１４】(ａ)は、変形例４に係るパネルの例を示す断面図である。(ｂ)は、(ａ)に示すパネルの断面図である。
【図１５】(ａ)は、変形例５に係るパネルの例を示す断面図である。(ｂ)は、変形例６に係るパネルの例を示す側面図である。
【図１６】変形例７に係るパネルの例を示す斜視図である。
【図１７】変形例８に係るパネルの例を示す断面図である。
【図１８】変形例９に係るパネルの例を示す断面図である。
【図１９】(ａ)〜(ｃ)は、変形例１０に係るパネルの例を示す断面図である。
【図２０】変形例１１に係る放音制御装置とスピーカの構成を示すブロック図である。
【図２１】変形例１２のスピーカの設置例を説明する図である。
【図２２】変形例１２のパーティション１０の平面図及び縦断面図である。
【発明を実施するための形態】
【０００９】
図１は、実施形態に係るパーティション１０の外観を示す。パーティション１０は平板状の本体部１００を備える。パーティション１０は、本体部１００および脚部１３０を備える。本体部１００は、上部の面である上面１４０、端部の面である端面１５０及び側方の面である側面１６０を有する。端面１５０は２つあり、上面１４０の短手方向の各辺を上面１４０と共有している。同様に、側面１６０も２つあり、上面１４０の長手方向の各辺を上面１４０と共有している。側面１６０は、第１の領域１１０および第２の領域１２０を有する。脚部１３０は、床面に立設された状態（立てて設けられた状態）の本体部１００を支持する。パーティション１０は、床面に立設されることで、空間を複数の空間（区画）に分割する。第２の領域１２０は、パーティション１０が床面に立設されたときに、第１の領域１１０より下方の、床面により近いところに位置する。この第２の領域１２０は、第１の領域１１０よりも高い吸音率を有する。吸音率が異なる複数の領域によって第１の領域１１０が構成されている場合、これら複数の領域の吸音率の平均値を、第１の領域１１０の吸音率としてもよい。同様に、吸音率が異なる複数の領域によって第２の領域１２０が構成されている場合、これら複数の領域の吸音率の平均値を、第２の領域１２０の吸音率としてもよい。第２の領域１２０は、少なくとも音声帯域（２５０−５００Ｈｚ）について、第１の領域１１０よりも高い吸音率を有することが好ましい。脚部１３０は、床面から例えば６ｃｍの位置までの、本体部１００を支持して立設するために必要な高さ方向の範囲を有する。第２の領域１２０は、例えば床面から６ｃｍの位置から、床面から３０ｃｍの位置までの高さ方向の範囲を有する。第１の領域１１０は例えば、床面から３０ｃｍの位置から、床面から１８０ｃｍの位置までの高さ方向の範囲を有する。
本実施形態では、脚部１３０の吸音率は第２の領域１２０よりも低いが、この場合、パーティション１０において最も高い吸音率を有する領域（つまり第２の領域１２０）が、床面に最も近い位置に設けられているといえる。なお、脚部１３０の吸音率が仮に第２の領域１２０と同じであれば、この脚部１３０は第２の領域１２０として機能することになり、この場合においても、パーティション１０において最も高い吸音率を有する領域（第２の領域）が、床面に最も近い位置に設けられていることになる。また仮に、脚部１３０の吸音率が第２の領域１２０よりも高い場合であっても、この脚部１３０は第１の領域１１０よりも吸音率が高い領域、つまり第２の領域１２０に相当することになる。よって、この場合においても、パーティション１０において最も高い吸音率を有する領域（第２の領域）が、床面に最も近い位置に設けられていることになる。
なお、第１の領域１１０及び第２の領域１２０の大きさは上記の例に限定されるものではなく、これら第１の領域１１０と第２の領域１２０との境界の位置は、パーティション１０によって区画された空間に必要とされる音響特性に応じて決められる。
【００１０】
図２は、パーティション１０の断面を示す。第１の領域１１０は、平板状の芯材１１４を有する。また、第１の領域１１０は、平板状の表面部材１１２を有する。芯材１１４は、一対の表面部材１１２に挟持される。第２の領域１２０は、吸音材１２４を有する。また、第２の領域１２０は、平板状の表面部材１２２を有する。吸音材１２４は、一対の表面部材１２２に挟まれた空間に充填される。表面部材１１２は、当該表面部材１１２に対して発せられた音に対して、少なくとも表面部材１２２よりも高い反射性を有する。すなわち、表面部材１２２は、当該表面部材１２２に向けて発せられた音に対して、少なくとも表面部材１１２よりも高い透過性を有する。図２に示す例では、表面部材１１２に、スチール板、さらに具体的にはスチール板に複数の開口部が形成されたパンチングメタルを用いている。吸音材１２４は、表面部材１２２を透過した音を吸音する。図２に示す例では、吸音材１２４に、グラスウールを用いている。なお、表面部材１２２は、当該表面部材１１２に対して発せられた音に対して、少なくとも表面部材１１２よりも高い透過性を有するものであればよく、パンチングメタルに限らない。たとえば、表面部材１２２は、メッシュ材、穴あき石膏ボードなどであってもよい。また、表面部材１２２は、開口部が形成されており当該開口部から音を透過するものであってもよい。また、表面部材１２２は、素材自体を音が透過するものであってもよい。吸音材１２４は、表面部材１２２を透過した音を吸音するものであればよく、グラスウールに限らない。たとえば、吸音材１２４は、フエルト、ウレタン、スポンジ、発泡材などの多孔質吸音材または繊維質吸音材であってもよい。この図２のようにパーティション１０に吸音材１２４を内蔵する場合には、例えば後述する図５の構造に比べて、パーティション１０の表面が全体的に平坦になり、シンプルな意匠になる。なお、図２において第２の領域１２０の内部構造は、表面部材１２２と吸音材１２４のみであるが、さらに、パーティション１０で区画された隣の空間との遮音性を向上させたい場合には、吸音材１２４の中央部分に、鉛直方向に延び、遮音性を有する遮音部材、例えばスチール板（１．６ｍｍ程度）を設けてもよい。
【００１１】
図３（ａ）、図３（ｂ）は、パーティション構造の設置例を示す。図３（ａ）、図３（ｂ）のいずれにおいても、室内２０には、パーティション構造として、パーティション１０Ａ、パーティション１０Ｂ、およびパーティション１０Ｃが設置されている。以下の説明では、これらのパーティション１０をまとめて「各パーティション１０」と示す。室内２０の床面２２には、各パーティション１０が並べて立設されている。これにより、室内２０には、パーティション１０Ａとパーティション１０Ｂとに挟まれた空間であるパーティションブース３０が形成されている。また、室内２０には、パーティション１０Ｂとパーティション１０Ｃとに挟まれた空間であるパーティションブース３２が形成されている。また、室内２０には、パーティション１０Ａと、パーティション１０Ａと対向する壁面２６とに挟まれた空間であって、パーティションブース３０に隣接する空間４０が形成されている。また、室内２０には、パーティション１０Ｃと、パーティション１０Ｃと対向する壁面２８とに挟まれた空間であって、パーティションブース３２に隣接する空間４２が形成されている。床面２２から天井２４までの高さは、各パーティション１０の高さよりも高い。このため、各パーティション１０と天井２４との間には、隣接する空間への音漏れの経路となり得る隙間が形成されている。
【００１２】
パーティションブース３０は、隣接する空間４０との隔壁として、第２の領域１２０に吸音材が設けられたパーティション１０Ａを用いている。このため、図３（ａ）の実線矢印Ｓ１で示すように、パーティションブース３０内で発せられ、パーティション１０Ａの第２の領域１２０に向かう音声は、パーティション１０Ａの第２の領域１２０に設けられた吸音材１２４に吸音される。このようにパーティション１０Ａの第２の領域１２０に向かう音声を吸音材１２４で吸音することができるので、当該音声が、パーティション１０Ａ、床面２２および天井２４で反射されて、パーティション１０Ｂの上端部と天井２４との隙間から、隣接するパーティションブース３２に漏出すること（点線矢印Ｓ１’）を抑制することができる。更に、パーティションブース３２は、パーティションブース３０と同様の構成を有する。このため、実線矢印Ｓ２で示すように、パーティションブース３２内で発せられ、パーティション１０Ｃの第２の領域１２０に向かう音声は、パーティション１０Ｃの第２の領域１２０に設けられた吸音材１２４に吸音される。つまり、パーティションブース３２内で発せられ、パーティション１０Ｃの第２の領域１２０に向かう音声が、パーティション１０Ｃ、床面２２および天井２４で反射されて、パーティション１０Ｂの上端部と天井２４との隙間から、隣接するパーティションブース３０に漏出すること（点線矢印Ｓ２’）を抑制することができる。
【００１３】
また、パーティションブース３０は、隣接するパーティションブース３２との隔壁として、第２の領域１２０に吸音材が設けられたパーティション１０Ｂを用いている。図３（ａ）の実線矢印Ｓ３で示すように、パーティションブース３０内で発せられ、パーティション１０Ｂの第２の領域１２０に向かう音声は、パーティション１０Ｂの第２の領域１２０に設けられた吸音材１２４に吸音される。このようにパーティション１０Ｂの第２の領域１２０に向かう音声を吸音材１２４で吸音することができるので、当該音声が、パーティション１０Ｂ、床面２２および天井２４で反射されて、パーティション１０Ａの上端部と天井２４との隙間から、隣接する空間４０に漏出すること（点線矢印Ｓ３’）を抑制することができる。更に、パーティションブース３２は、パーティションブース３０と同様の構成を有する。このため、実線矢印Ｓ４で示すように、パーティションブース３２内で発せられ、パーティション１０Ｂの第２の領域１２０に向かう音声は、パーティション１０Ｂの第２の領域１２０に設けられた吸音材１２４に吸音される。つまり、パーティションブース３２内で発せられ、パーティション１０Ｂの第２の領域１２０に向かう音声が、パーティション１０Ｂ、床面２２および天井２４で反射されて、パーティション１０Ｃの上端部と天井２４との隙間から、隣接する空間４２に漏出すること（点線矢印Ｓ４’）を抑制することができる。
図３（ａ）に示したように、第２の領域１２０は、各パーティションに挟まれた空間（第１の空間）から発せられ、その第１の空間以外の空間（第２の空間）に伝搬する音声の伝搬経路上の領域である。そして、ここでいう音声の伝搬経路は、パーティションが立設されている室内２０の空間に面する天井を少なくとも反射面として含む伝搬経路である。      
【００１４】
また、パーティションブース３０内で発せられ、天井２４に向かう音声は、天井２４で反射されて、隣接するパーティションブース３２内に漏出する。そして、パーティションブース３２内に漏出した音声は、パーティションブース３０と対向するパーティション１０Ｃの第２の領域１２０に入射する。パーティション１０Ｃの第２の領域１２０には、吸音材１２４が設けられている。したがって、図３（ｂ）の実線矢印Ｓ５で示すように、パーティションブース３０から発せられ、天井２４で反射されて、パーティションブース３２内に漏出した音声は、パーティション１０Ｃの第２の領域１２０に設けられている吸音材１２４に吸音される。このようにパーティションブース３０内で発せられ、天井２４で反射されて、隣接するパーティションブース３２に漏出した音声を、パーティション１０Ｃの吸音材１２４で吸音することができるので、当該音声がパーティションブース３２内の人物に聞き取られてしまうこと（点線矢印Ｓ５’）を抑制することができる。更に、パーティションブース３０は、パーティションブース３２と同様の構成を有する。このため、パーティションブース３２内で発せられ、天井２４で反射されて、隣接するパーティションブース３０に漏出した音声を、図３（ｂ）の実線矢印Ｓ６で示すようにパーティション１０Ａの吸音材１２４で吸音することができる。よって、当該音声がパーティションブース３０内の人物に聞き取られてしまうこと（点線矢印Ｓ６’）を抑制することができる。
図３（ｂ）に示したように、第２の領域１２０は、各パーティション１０に挟まれた空間（第１の空間）以外の空間（第２の空間）から発せられ、その第１の空間に伝搬する音声の伝搬経路上の領域である。そして、ここでいう音声の伝搬経路は、各パーティションが立設されている室内２０の空間に面する天井を少なくとも反射面として含む伝搬経路である。
【００１５】
パーティションブース３０を形成するパーティション１０Ａおよびパーティション１０Ｂの各第１の領域１１０には、吸音材１２４のような吸音手段が設けられていない。たとえば、パーティション１０Ｂの第１の領域１１０に向かう音声は、第１の領域１１０の表面に対して、パーティション１０Ｂの第２の領域１２０に向かう音声よりも垂直に近い角度で入射される。このため、パーティション１０Ｂの第１の領域１１０に向けて発せられた音声は、その殆どがパーティションブース３０内で反響する。よって、パーティションブース３０内で音声の適度な響きを確保することができる。また、パーティション１０Ｂの第１の領域１１０の上方に向かう音声は、パーティション１０Ａの上端と天井２４との隙間からほぼ水平方向に漏出する音声となるが、パーティション１０Ａの回折効果（いわゆる塀の遮音効果）により減衰するので、隣接する空間への漏出は少ない。このように、図３（ａ）、図３（ｂ）に示すパーティション構造によれば、パーティションブース３０内で発せられた音声のうち、隣接する空間への漏れに関連する成分を第２の領域１２０で吸音する一方、漏れに関連しない成分は第１の領域１１０ではあまり吸音しないため、無響室にいるかのような違和感をユーザーに与えたりすることがない。また、パーティションブース３０内で発せられた音声のうち、天井に向かって反響し、隣接する空間に漏れやすい成分を、第２の領域１２０という吸音手段で吸音するため、パーティションブース３０内の音声を適度に吸音することができる。同様に、パーティションブース３２を形成するパーティション１０Ｂおよびパーティション１０Ｃの各第１の領域１１０には、吸音材１２４のような吸音手段が設けられていない。このため、図３（ａ）、図３（ｂ）に示すパーティション構造によれば、無響室にいるかのような違和感をユーザーに与えたりすることがないよう、パーティションブース３２内の音声を適度に吸音することができる。
【００１６】
図４は、パーティションブースの減音性能のシミュレーション結果を示す。グラフ４００は、パーティションブースによる減音量を周波数ごとに示したものである。グラフ４００において、丸形のプロットは、従来のパーティション、すなわち第２の領域に吸音材が設けられていないパーティションを用いたパーティションブースにおける減音性能を示す。三角形のプロットは、本実施形態のパーティション１０を用いたパーティションブースにおける減音性能を示す。なお、グラフ４００において、最も左側にある丸形のプロット及び三角形のプロットは、周波数ごとではなく全帯域でみたときの、Ａ特性音圧レベルの減音量を表している。
【００１７】
たとえば、音声帯域である２５０Ｈｚの音については、パーティション１０を用いたパーティションブースは、従来のパーティションを用いたパーティションブースよりも、およそ１．５ｄＢ多く減音することができる。また、音声帯域である５００Ｈｚの音については、パーティション１０を用いたパーティションブースは、従来のパーティションを用いたパーティションブースよりも、およそ３ｄＢ多く減音することができる。また、全帯域でみたＡ特性音圧レベルについては、パーティション１０を用いたパーティションブースは、従来のパーティションを用いたパーティションブースよりも、およそ２ｄＢ多く減音することができる。
【００１８】
図５は、パーティション構造の他の構成例を示す。図５に示すパーティション構造は、パーティション５０および第１の吸音手段６０を備える。パーティション５０は、床面に立設される。パーティション５０は平板状の本体部５００および脚部５３０を備える。脚部５３０は、立設された状態の本体部５００を支持する。パーティション５０は、立設されることで、空間を複数の空間に分割する。本体部５００は、平板状の表面部材５０２、および表面部材５０２によって両表面が覆われている芯材５０４を有する。図５に示す例では、表面部材５０２に、スチール板を用いている。
【００１９】
本体部５００の第２の領域５２０となる領域の両表面には、第１の吸音手段６０が設けられている。これにより、本体部５００には、第１の領域５１０と第２の領域５２０とが形成されている。第２の領域５２０は、パーティション５０が立設されたときに、第１の領域５１０より下方、つまり床面に近いところに位置する。第２の領域５２０は、第１の吸音手段６０が設けられたことにより、第１の領域５１０よりも高い吸音率を有する。
【００２０】
第１の吸音手段６０は、第２の領域５２０の吸音率を、第１の領域５１０より高めるものであれば、その形状、構成は問わない。たとえば、第１の吸音手段６０は、フエルト、グラスウール、発泡剤などの吸音材を有する。第１の吸音手段６０は、吸音材の表面を覆う表面部材を有してもよい。たとえば、第１の吸音手段６０は、グラスウールと、当該グラスウールの表面を覆うパンチングメタルとによって構成されてもよい。第１の吸音手段６０は、第２の領域５２０として機能するものであれば、その設置方法は問わない。たとえば、第１の吸音手段６０は、図６に示すように、本体部５００の表面に貼付されるものであってもよい。また、第１の吸音手段６０は、本体部５００の表面を覆うように、床面に立設されるものであってもよい。また、第１の吸音手段６０は、本体部５００の表面に密着するものでなくてもよい。
【００２１】
図６（ａ）、図６（ｂ）は、パーティション構造の他の設置例を示す。図６（ａ）、図６（ｂ）のいずれにおいても、室内２０には、パーティション構造として、パーティション５０Ａ、パーティション５０Ｂ、およびパーティション５０Ｃが設置されている。以下の説明では、これらのパーティション５０をまとめて「各パーティション５０」と示す。室内２０の床面２２には、各パーティション５０が並べて立設されている。これにより、室内２０には、パーティション５０Ａとパーティション５０Ｂとに挟まれた空間であるパーティションブース８０が形成されている。また、室内２０には、パーティション５０Ｂとパーティション５０Ｃとに挟まれた空間であるパーティションブース８２が形成されている。また、室内２０には、パーティション５０Ａと、パーティション５０Ａと対向する壁面２６とに挟まれた空間であって、パーティションブース８０に隣接する空間９０が形成されている。また、室内２０には、パーティション５０Ｃと、パーティション５０Ｃと対向する壁面２８とに挟まれた空間であって、パーティションブース８２に隣接する空間９２が形成されている。床面２２から天井２４までの高さは、各パーティション５０の高さよりも高い。このため、各パーティション５０と天井２４との間には、隣接する空間への音漏れの経路となり得る隙間が形成されている。
【００２２】
パーティション５０Ａの第２の領域５２０のパーティションブース８０側の表面、すなわち、パーティションブース８０の一方の側面の第２の領域５２０には、第１の吸音手段６０Ａが設けられている。具体的には、第１の吸音手段６０Ａは、パーティションブース８０内で発せられ、パーティション５０Ａおよび天井２４で反射されて、隣接するパーティションブース８２に漏出する音声の伝搬経路上において、当該伝搬経路を遮断するような形状および大きさを有して設けられている。また、第１の吸音手段６０Ａは、隣接するパーティションブース８２内で発せられ、天井２４およびパーティション５０Ａで反射されて、パーティションブース８０に漏出する音声の伝搬経路上において、当該伝搬経路を遮断するような形状および大きさを有して設けられている。
【００２３】
また、パーティション５０Ｂの第２の領域５２０のパーティションブース８０側の表面、すなわち、パーティションブース８０の他方の側面の第２の領域５２０には、第１の吸音手段６０Ｂが設けられている。具体的には、第１の吸音手段６０Ｂは、パーティションブース８０内で発せられ、パーティション５０Ｂおよび天井２４で反射されて、隣接する空間９０に漏出する音声の伝搬経路上において、当該伝搬経路を遮断するような形状および大きさを有して設けられている。また、第１の吸音手段６０Ｂは、隣接する空間９０から発せられ、天井２４およびパーティション５０Ｂで反射されて、パーティションブース８０に漏出する音声の伝搬経路上において、当該伝搬経路を遮断するような形状および大きさを有して設けられている。
【００２４】
また、パーティション５０Ｂの第２の領域５２０のパーティションブース８２側の表面、すなわち、パーティションブース８２の一方の側面の第２の領域５２０には、第１の吸音手段６０Ｃが設けられている。具体的には、第１の吸音手段６０Ｃは、パーティションブース８２内で発せられ、パーティション５０Ｂおよび天井２４で反射されて、隣接する空間９２に漏出する音声の伝搬経路上において、当該伝搬経路を遮断するような形状および大きさを有して設けられている。また、第１の吸音手段６０Ｃは、隣接する空間９２から発せられ、天井２４およびパーティション５０Ｂで反射されて、パーティションブース８２に漏出する音声の伝搬経路上において、当該伝搬経路を遮断するような形状および大きさを有して設けられている。
【００２５】
また、パーティション５０Ｃの第２の領域５２０のパーティションブース８２側の表面、すなわち、パーティションブース８２の他方の側面の第２の領域５２０には、第１の吸音手段６０Ｄが設けられている。具体的には、第１の吸音手段６０Ｄは、パーティションブース８２内で発せられ、パーティション５０Ｃおよび天井２４で反射されて、隣接するパーティションブース８０に漏出する音声の伝搬経路上において、当該伝搬経路を遮断するような形状および大きさを有して設けられている。また、第１の吸音手段６０Ｃは、隣接するパーティションブース８０内で発せられ、天井２４およびパーティション５０Ｃで反射されて、パーティションブース８２に漏出する音声の伝搬経路上において、当該伝搬経路を遮断するような形状および大きさを有して設けられている。
【００２６】
また、空間９０の壁面２６においては、パーティション５０の第２の領域５２０と同じ高さの位置に第２の吸音手段７０Ａが設けられている。これにより、壁面２６には、パーティション５０と同じように、第１の領域５１０と第２の領域５２０とが形成されていることになる。第２の領域５２０は、第１の領域５１０より下方、つまり床面２２に近いところに位置する。第２の領域５２０は、第２の吸音手段７０Ａが設けられたことにより、第１の領域５１０よりも高い吸音率を有する。具体的には、第２の吸音手段７０Ａは、空間９０から発せられ、壁面２６および天井２４で反射されて、隣接するパーティションブース８０に漏出する音声の伝搬経路上において、当該伝搬経路を遮断するような形状および大きさを有して設けられている。また、第２の吸音手段７０Ａは、隣接するパーティションブース８０内で発せられ、天井２４および壁面２６で反射されて、空間９０に漏出する音声の伝搬経路上において、当該伝搬経路を遮断するような形状および大きさを有して設けられている。
【００２７】
また、空間９２の壁面２８においては、パーティション５０の第２の領域５２０と同じ高さの位置に第２の吸音手段７０Ｂが設けられている。これにより、壁面２８には、パーティション５０と同じように、第１の領域５１０と第２の領域５２０とが形成されている。第２の領域５２０は、第１の領域５１０より下方、つまり床面２２に近いところに位置する。第２の領域５２０は、第２の吸音手段７０Ｂが設けられたことにより、第１の領域５１０よりも高い吸音率を有する。具体的には、第２の吸音手段７０Ｂは、空間９２から発せられ、壁面２８および天井２４で反射されて、隣接するパーティションブース８２に漏出する音声の伝搬経路上において、当該伝搬経路を遮断するような形状および大きさを有して設けられている。また、第２の吸音手段７０Ｂは、隣接するパーティションブース８２内で発せられ、天井２４および壁面２８で反射されて、空間９２に漏出する音声の伝搬経路上において、当該伝搬経路を遮断するような形状および大きさを有して設けられている。
【００２８】
第２の吸音手段７０は、第２の領域５２０の吸音率を、第１の領域５１０より高めるものであれば、その形状および構成は問わない。たとえば、第２の吸音手段７０は、フエルト、グラスウール、発泡剤などの吸音材を有する。また、第２の吸音手段７０は、吸音材の表面を覆う表面部材を有してもよい。たとえば、第２の吸音手段７０は、グラスウールと、グラスウールの表面を覆うパンチングメタルとによって構成されてもよい。第２の吸音手段７０は、壁面２６および壁面２８において、パーティション５０の第２の領域５２０と同じ高さに設けることができるものであれば、その設置方法は問わない。たとえば、第２の吸音手段７０は、壁面２６および壁面２８に貼付されるものであってもよい。また、第２の吸音手段７０は、壁面２６および壁面２８の表面を覆うように、床面に立設されるものであってもよい。また、第２の吸音手段７０は、壁面２６および壁面２８に密着するものでなくてもよい。
【００２９】
パーティションブース８０は、隣接する空間９０との隔壁として、パーティション５０Ａを用いている。パーティション５０Ａにおいて、第２の領域５２０のパーティションブース８０側の表面には、第１の吸音手段６０Ａが設けられている。図６（ａ）の実線矢印Ｓ７で示すように、パーティションブース８０内で発せられ、パーティション５０Ａの第２の領域５２０に向かう音声は、パーティション５０Ａの第２の領域５２０のパーティションブース８０側の側面に設けられた第１の吸音手段６０Ａに吸音される。このようにパーティション５０Ａの第２の領域５２０に向かう音声を第１の吸音手段６０Ａで吸音することができるので、当該音声が、パーティション５０Ａ、床面２２および天井２４で反射されて、パーティション５０Ｂの上端部と天井２４との隙間から、パーティションブース８２に漏出すること（点線矢印Ｓ７’）を抑制することができる。パーティションブース８２は、パーティションブース８０と同様の構成を有する。このため、実線矢印Ｓ８で示すように、パーティションブース８２内で発せられ、パーティション５０Ｃの第２の領域５２０に向かう音声は、パーティション５０Ｃの第２の領域５２０のパーティションブース８２側の側面に設けられた第１の吸音手段６０Ｄに吸音される。つまり、パーティションブース８２内で発せられ、パーティション５０Ｃの第２の領域５２０に向かう音声が、パーティション５０Ｃ、床面２２および天井２４で反射されて、パーティション５０Ｂの上端部と天井２４との隙間から、隣接するパーティションブース８０に漏出すること（点線矢印Ｓ８’）を抑制することができる。
【００３０】
また、パーティションブース８０は、隣接するパーティションブース８２との隔壁として、パーティション５０Ｂを用いている。パーティション５０Ｂの第２の領域５２０のパーティションブース８０側の側面には、第１の吸音手段６０Ｂが設けられている。図６（ａ）の実線矢印Ｓ９で示すように、パーティションブース８０内で発せられ、パーティション５０Ｂの第２の領域５２０に向かう音声は、パーティション５０Ｂの第２の領域５２０に設けられた第１の吸音手段６０Ｂに吸音される。このようにパーティションブース８０内でパーティション５０Ｂの第２の領域５２０に向かう音声を第１の吸音手段６０で吸音することができるので、当該音声が、パーティション５０Ｂ、床面２２および天井２４で反射されて、パーティション５０Ａの上端部と天井２４との隙間から、空間９０に漏出すること（点線矢印Ｓ９’）を抑制することができる。パーティションブース８２は、パーティションブース８０と同様の構成を有する。このため、実線矢印Ｓ１０で示すように、パーティションブース８２内で発せられ、パーティション５０Ｂの第２の領域５２０に向かう音声は、パーティション５０Ｂの第２の領域５２０のパーティションブース８２側の表面に設けられた第１の吸音手段６０Ｃに吸音される。つまり、パーティションブース８２内で発せられ、パーティション５０Ｂの第２の領域５２０に向かう音声が、パーティション５０Ｂ、床面２２および天井２４で反射されて、パーティション５０Ｃの上端部と天井２４との隙間から、隣接する空間９２に漏出すること（点線矢印Ｓ１０’）を抑制することができる。
【００３１】
また、パーティションブース８０内で発せられ、天井２４に向かう音声は、天井２４で反射されて、隣接するパーティションブース８２内に漏出する。そして、パーティションブース８２内に漏出した音声は、パーティションブース８０と対向するパーティション５０Ｃの第２の領域５２０に入射する。パーティション５０Ｃの第２の領域５２０の側面には、第１の吸音手段６０Ｄが設けられている。したがって、図６（ｂ）の実線矢印Ｓ１１で示すように、パーティションブース８０内で発せられ、天井２４で反射されて、パーティションブース８２内に漏出した音声は、パーティション５０Ｃの第２の領域５２０の側面に設けられている第１の吸音手段６０Ｄに吸音される。よって、パーティションブース８０内でパーティションブース８２に漏出してしまった音声が、パーティションブース８２内の人物に聞き取られてしまうこと（点線矢印Ｓ１１’）を抑制することができる。パーティションブース８０は、パーティションブース８２と同様の構成を有する。このため、実線矢印Ｓ１２で示すように、パーティションブース８２内で発せられ、パーティション６０Ａの第２の領域５２０に向かう音声は、パーティション６０Ａの第２の領域５２０のパーティションブース８０側の表面に設けられた第１の吸音手段６０Ａに吸音される。つまり、パーティションブース８２内で発せられ、パーティションブース８０に漏出してしまった音声が、パーティションブース８０内のユーザーに聞き取られてしまうこと（点線矢印Ｓ１２’）を抑制することができる。
【００３２】
パーティションブース８０内で発せられ、天井２４に向かう音声は、天井２４で反射されて、隣接する空間９０内に漏出する。そして、空間９０内に漏出した音声は、パーティションブース８０と対向する壁面２６の第２の領域５２０に入射する。壁面２６の第２の領域５２０には、第２の吸音手段７０Ａが設けられている。したがって、図６（ｂ）の実線矢印Ｓ１３で示すように、パーティションブース８０内で発せられ、天井２４で反射されて、空間９０内に漏出した音声は、壁面２６の第２の領域５２０に設けられている第２の吸音手段７０Ａに吸音される。つまり、パーティションブース８０内で空間９０に漏出してしまった音声が、空間９０内の人物に聞き取られてしまうこと（点線矢印Ｓ１３’）を抑制することができる。空間９２は、空間９０と同様の構成を有する。このため、実線矢印Ｓ１４で示すように、パーティションブース８２内で発せられ、天井２４で反射されて、空間９２内に漏出した音声は、壁面２８の第２の領域５２０に設けられている第２の吸音手段７０Ｂに吸音される。よって、パーティションブース８２内で発せられ空間９２に漏出してしまった音声が、空間９２内のユーザーに聞き取られてしまうこと（点線矢印Ｓ１４’）を抑制することができる。
【００３３】
パーティションブース８０を形成するパーティション５０Ａおよびパーティション５０Ｂのそれぞれの第１の領域５１０には、第１の吸音手段６０Ａ〜６０Ｄのような吸音手段が設けられていない。たとえば、パーティション５０Ｂの第１の領域５１０に向かう音声は、第１の領域５１０の表面に対して、パーティション５０Ｂの第２の領域５２０に向かう音声よりも垂直に近い角度で入射される。このため、パーティション５０Ｂの第１の領域５１０に向かう音声は、その殆どがパーティションブース８０内で反響する。よって、パーティションブース８０内で音声の適度なの響きを確保することができる。また、パーティション５０Ｂの第１の領域５１０の上方に向かう音声は、パーティション５０Ａの上端と天井２４との隙間からほぼ水平方向に漏出する音声となるが、パーティション５０Ａの回折効果による減衰するので、隣接する空間への漏出は少ない。このように、図６（ａ）、図６（ｂ）に示したパーティション構造によれば、パーティションブース８０内で発せられた音声のうち、隣接する空間への漏れに関連する成分のみを第２の領域５２０で吸音する一方、漏れに関連しない成分は第１の領域５１０ではあまり吸音しないため、無響室にいるかのような違和感をユーザーに与えたりすることがない。同様に、パーティションブース８２を形成するパーティション５０Ｂおよびパーティション５０Ｃのそれぞれの第１の領域５１０には、第１の吸音手段６０Ａ〜６０Ｄのような吸音手段が設けられていない。このため、図６（ａ）、図６（ｂ）に示したパーティション構造によれば、無響室にいるかのような違和感をユーザーに与えたり、音声が不鮮明になったりすることがないように、パーティションブース８２内の音声を適度に吸音することができる。
【００３４】
同様に、空間９０を形成する壁面２６の第１の領域５１０には、第２の吸音手段７０Ａのような吸音手段が設けられていない。このため、図６（ａ）、図６（ｂ）に示したパーティション構造によれば、無響室にいるかのような違和感をユーザーに与えたりすることがないように、空間９０内の音声を適度に吸音することができる。同様に、空間９２を形成する壁面２８の第１の領域５１０には、第２の吸音手段７０Ｂのような吸音手段が設けられていない。このため、図６（ａ）、図６（ｂ）に示したパーティション構造によれば、無響室にいるかのような違和感をユーザーに与えたりすることがないように、空間９２内の音声を適度に吸音することができる。
【００３５】
パーティション構造は、図３（ａ）、図３（ｂ）に示したパーティション構造に、第２の吸音手段７０Ａ、７０Ｂをさらに備えて構成であってもよい。また、パーティション構造は、パーティション１０と、パーティション５０とが混在する構成であってもよい。図６（ａ）、図６（ｂ）に示したパーティション構造は、第１の吸音手段６０および第２の吸音手段７０の双方を備えているが、これに限らない。たとえば、パーティション構造は、第１の吸音手段６０および第２の吸音手段７０のいずれか一方を備える構成であってもよい。第１の吸音手段６０は、パーティション５０に限らず、たとえば、床面２２または天井２４の、天井２４で反射されて隣室へ漏出する音声の伝搬系路上、または天井２４で反射されて隣室から漏出される音声の伝搬系路上に設けてもよい。また、第２の吸音手段７０は、壁面２６および壁面２８に限らず、床面２２または天井２４の、天井２４で反射されて隣室へ漏出する音声の伝搬系路上、または天井２４で反射されて隣室から漏出される音声の伝搬系路上に設けてもよい。
【００３６】
第１の吸音手段６０は、少なくとも天井２４で反射されて当該空間から隣室空間へ漏出する音声または天井２４で反射されて隣室空間から当該空間へ漏出される音声を、減衰させる条件を満たすものであればよい。この条件には、第１の吸音手段６０の位置や音響特性などが満たすべき内容が含まれる。したがって、第１の吸音手段６０は、上記音声を吸音する構成に限らず、上記音声を散乱させる構成であってもよい。第２の吸音手段７０は、少なくとも天井２４で反射されて当該空間から隣室空間へ漏出する音声または天井２４で反射されて隣室空間から当該空間へ漏出される音声を、減衰させる条件を満たすものであればよい。この条件には、第２の吸音手段７０の位置や音響特性などが満たすべき内容が含まれる。したがって、第２の吸音手段７０は、上記音声を吸音する構成に限らず、上記音声を散乱させる構成であってもよい。
【００３７】
天井２４で反射されて隣室へ漏出する音声の伝搬経路、および天井２４で反射されて隣室から漏出される音声の伝搬経路は、パーティションの配置位置、パーティションの形状、パーティションのサイズ、空間の形状、空間のサイズ、障害物の有無、天井２４の材質、床面２２の材質、壁面２６および壁面２８の材質など、パーティション構造の設置条件によって変化する。このため、パーティション構造の設置条件に応じて、パーティション１０における第２の領域１２０の構成、材質、形状、大きさ、および位置の少なくともいずれか一つを異ならせてもよい。また、パーティション構造の設置条件に応じて、第１の吸音手段６０の構成、材質、形状、大きさ、および位置の少なくともいずれか一つを異ならせてもよい。また、パーティション構造の設置条件に応じて、第２の吸音手段７０の構成、材質、形状、大きさ、および位置の少なくともいずれか一つを異ならせてもよい。
【００３８】
以上、本発明の実施形態について説明したが、本発明は上述した実施形態に限定されることなく、他の様々な形態で実施可能である。例えば、上述の実施形態を以下のように変形してもよい。
（変形例１）
（変形例１−１）
会話音声が天井面を介してブース外へ漏れないように音声をマスキングする構成を、ブース外の空間４２と接するパーティションに設けるようにしてもよい。以下、図２のパーティション１０Ｃに音声をマスキングする構成を設けたパーティション１０Ｄの構成を例に挙げて説明する。
図８は、各領域を説明する図であり、図９(ａ)は、パーティション１０Ｄの斜視図を示しており、図９(ｂ)は、図９(ａ)のパーティション１０Ｄを矢印Ｘ方向の側面から見た断面図を示している。図９(ａ)に示すように、パーティション１０Ｄの表面部材１１２は、ブース外の空間４２の側に位置する表面部材１１２ａと、パーティションブース３２の側に位置する表面部材１１２ｂとで構成されている。表面部材１１２ｂ側の床面２２からの高さは、表面部材１１２ａ側の床面２２からの高さに対して、より高くなるように構成されており、図９(ｂ)の破線部で示すパーティション１０Ｄの上方の部分が開口されている。表面部材１１２ｂにおいて表面部材１１２ａより高くなっている部分が、会話が行われる領域からパーティション１０Ｄを介して隣接する空間に向かう音の伝搬経路を遮蔽する位置に設けられた、音の遮蔽部として機能する。なお、表面部材１１２ａと表面部材１１２ｂとの間にある側壁２ｃの床面２２からの高さは、表面部材１１２ａの床面２２からの高さと同じとしてもよいが、側壁２ｃを介したマスキング音の伝搬経路を遮断する必要がある場合には、表面部材１１２ｂの高さと同じとすればよい。
【００３９】
また、パーティション１０Ｄの内部には、表面部材１１２ａの上端の高さの位置に、放音手段であるスピーカ１０１を設置する設置台２ｄが設けられており、設置台２ｄの上に２台のスピーカ１０１が設けられている。表面部材１１２ａは、パーティションブース３２に居る会話者の口と略同じ高さとなっており、設置台２ｄは、表面部材１１２ａの上端部から表面部材１１２ｂに向かって水平に設置されている。スピーカ１０１は、マスキング音を放音するものである。スピーカ１０１は、マスキング音の放音方向が真上又は斜め上の方向となるように設置され、スピーカ１０１から放音されるマスキング音の直接音が天井２４に入射するようになっている。図９では、スピーカ１０１の指向性の軸が天井２４の方向を向くようにスピーカ１０１が設置されている。なお、スピーカ１０１が無指向性のものの場合には、マスキング音の放射方向が天井２４の方向(真上又は斜め上の方向)となるように、スピーカ１０１の放音部に、反射板等の物理的に指向性を制御する部材を設けた放音手段を構成するようにしてもよい。
【００４０】
スピーカ１０１からマスキング音を放音した場合のマスキング音と、パーティションブース３２内で発せられた音声とが、空間４２に至る伝搬経路について、図１０を用いて説明する。例えば、パーティションブース３２におけるＸの高さの位置から会話者が音声を発した場合、音声の伝搬経路は図１０の破線矢印に示す伝搬経路となる。なお、上記の各実施形態では、吸音材１２４が会話者から発せられた音を吸音していたが、会話者から発せられた音の全てが吸音材１２４によって吸音されるわけではないから、図１０では、その吸音できなかった音の伝搬経路を示している。つまり、ブース３２内の音声のうち吸音材１２４によって吸音されなかった音声は、大別すると、パーティション１０Ｂで反射されて天井２４に向かい、天井２４で反射されて空間４２に向かう伝搬経路Ａ１と、天井２４に向かい、天井２４で反射されて空間４２に向かう伝搬経路Ａ２と、パーティション１０Ｄの表面部材１１２ｂの方向に向かい、表面部材１１２ｂの上端部分で回折して空間４２に向かう伝搬経路Ａ３とにより、空間４２の受音点（受音者の位置）Ｙの位置に伝達される。
【００４１】
一方、スピーカ１０１から放音されたマスキング音の伝搬経路は、図１０の実線矢印に示す伝搬経路となる。つまり、マスキング音は、大別すると、表面部材１１２ｂの内側の面(パーティション１０Ｄの内部側の面)で反射されて天井２４の方向に向かい、天井２４で反射されて空間４２に向かう伝搬経路Ｂ１と、天井２４に向かい、天井２４で反射されて空間４２に向かう伝搬経路Ｂ２とにより、空間４２のＹの受音点位置に伝達される。
【００４２】
このように、スピーカ１０１が表面部材１１２ｂの上端より低い位置に設置されているので、スピーカ１０１から放音されたパーティションブース３２内へ向かうマスキング音の伝搬経路は、表面部材１１２ｂの内側の面(遮蔽部)により遮蔽され、パーティションブース３２側へのマスキング音の伝搬が抑制される。そのため、パーティションブース３２内の会話者がマスキング音によって互いの音声を聞き取りにくくなるということがない。なお、マスキング音は、パーティションブース３２側の空間において少なくともパーティションブース３２側の上部空間７ａを除く空間に伝搬しないように、遮蔽されていればよい。
また、天井２４で反射した会話音声が空間４２に伝搬する方向(Ａ１、Ａ２)と、天井２４でマスキング音が反射して空間４２に伝搬する方向(Ｂ１、Ｂ２)とがほぼ同じ方向であり、会話音声とマスキング音の減衰性状(周波数特性)が略同じになるので、会話音声とマスキング音の親和性が高くなる。そのため、空間４２の受音点Ｙの位置ではパーティションブース３２からの会話音声とマスキング音とが融合して知覚されて、受音点Ｙ付近にいる人にとってはパーティションブース３２内の会話音声が聞き取りにくくなる。
【００４３】
また、会話者とスピーカ１０１が表面部材１１２ｂを挟んで対称な位置関係となるときには、スピーカ１０１がパーティションブース３２内の会話者の口と略同じ高さとなるようにパーティション１０Ｄの内部に設けられていることで、スピーカ１０１が床面２２に近い低い位置に設けられる場合と比べて、会話音声とマスキング音の伝搬経路がほぼ同じ方向となり、空間４２に放音されるマスキング音のマスキング効率が更に向上する。
つまり、パーティション１０Ｄ内の床面２２に近い高さにスピーカ１０１が設置される場合には、表面部材１１２ａ、表面部材１１２ｂ、側壁２ｃに囲まれた空間によってマスキング音の上方への指向性が強くなる。そのため、パーティションブース３２だけではなく空間４２へのマスキング音の伝搬が抑制され、空間４２において表面部材１１２ａから離れるほどマスキング音が届きにくくなる。従って、会話者が発した空間４２へ向かう会話音声とマスキング音の伝搬方向が同じ方向とならないので、会話音声が効率良くマスキングされない。一方、パーティションブース３２内の会話者の口と略同じ高さにスピーカ１０１が設けられている場合は、音の伝搬方向や、距離減衰及び響きなどの、音の伝送特性に関して、スピーカ１０１からのマスキング音と会話者が発した会話音声の類似性(親和性)が高くなるため、会話音声が効率良くマスキングされる。
以上のような音声をマスキングする構成は、図３のパーティション１０Ａや、図６のパーティション５０Ａ，５０Ｃにも設けられる。
【００４４】
（変形例１−２）
図１１(ａ)は、本変形例に係るパーティション１０Ｅの斜視図を示しており、図１１(ｂ)は、図１１(ａ)のパーティション１０Ｅを矢印Ｘ方向から見たときの断面図を示している。本変形例に係るパーティション１０Ｅは、空間４２側に位置する表面部材１１２ａに対し、パーティションブース３２側に位置する表面部材１１２ｂの床面からの高さが高くなっている点で、変形例１−１と共通し、表面部材１１２ａの上端部より床面２２に近い所定の位置に設けられた設置台２ｄにスピーカ１０１が設けられている点で、変形例１−１と異なっている。つまり、本変形例では、変形例１−１の場合よりも表面部材１１２ａの上端より下方の位置にスピーカ１０１が設置されている。以下、本変形例のパーティション１０Ｅの構成において、スピーカ１０１からのマスキング音とパーティションブース３２内の会話音声とが空間４２に至る伝搬経路について、図１２を用いて説明する。
【００４５】
変形例１−１と同様にパーティションブース３２のＸの位置で会話者が音声を発した場合、図１２の破線矢印に示す伝搬経路で空間４２の側へ音声が伝搬される。つまり、パーティションブース３２内の会話音声は、大別すると、パーティション１０Ｂで反射されて天井２４に向かい、天井２４で反射されて空間４２に向かう伝搬経路Ａ１と、天井２４に向かい、天井２４で反射されて空間４２に向かう伝搬経路Ａ２と、パーティション１0Ｅの表面部材１１２ｂの方向に向かい、表面部材１１２ｂの上端部分で回折して空間４２に向かう伝搬経路Ａ３とにより、空間４２の受音点Ｙの位置に伝達される。
一方、スピーカ１０１から放音されたマスキング音は、図１２の実線矢印で示す伝搬経路で伝搬される。つまり、マスキング音は、大別すると、表面部材１１２ｂの内側の面で反射されて天井２４の方向に向かい、天井２４で反射されて空間４２に向かう伝搬経路Ｂ１と、天井２４の方向に向かい、天井２４で反射されて空間４２に向かう伝搬経路Ｂ２と、表面部材１１２ａの上端部分で回折して空間４２へ向かう伝搬経路Ｂ３とによって、空間４２の受音点Ｙの位置に伝達される。
【００４６】
伝搬経路Ｂ１で示すように、スピーカ１０１から放音されたマスキング音のうちパーティションブース３２内へ向かうマスキング音の伝搬経路は表面部材１１２ｂの内側の面によって遮蔽されるためパーティションブース３２内の会話者はマスキング音によって互いの音声が聞き取りにくくならない。また、本変形例では、伝搬経路Ａ１及びＡ２で空間４２に伝搬される会話音声と伝搬経路Ｂ１及びＢ２で空間４２に伝搬されるマスキング音とは伝搬方向及び周波数特性が略同じであり、伝搬経路Ａ３で空間４２に伝搬される会話音声と伝搬経路Ｂ３で空間４２に伝搬されるマスキング音とは伝搬方向及び周波数特性が略同じになる。よって、空間４２に漏出された会話音声がマスキング音によって効率良くマスキングされ、空間４２にいる人に会話音声を聞き取られないようにすることができる。また、スピーカ１０１が表面部材１１２ａの上端部より下方の位置に設けられることで、表面部材１１２ａ及び表面部材１１２ｂで挟まれた空間に一旦マスキング音が放音され、パーティション１０Ｅの上方の開口部分よりマスキング音が空間４２に放音されるので、スピーカ１０１の数が少ない場合でも、マスキング音がスピーカ１０１の位置に定位する感覚が小さくなり、パーティション１０Ｅの上方の開口部全体からマスキング音が聞こえるような効果を得ることができる。また、スピーカ１０１の数を減らすことができるので、装置構成を簡略化することができると共に、コストを削減することができる。
【００４７】
なお、本変形例では、スピーカ１０１の放音方向が天井２４の方向となるようにスピーカ１０１をパーティション１０Ｅ内に配置したが、スピーカ１０１が、表面部材１１２ａの上端より下方の位置に設けられる場合には、スピーカ１０１の放音方向が表面部材１１２ａ、表面部材１１２ｂ、又は側壁２ｃの方向となるようにスピーカ１０１が設置されていてもよい。このように配置しても、スピーカ１０１からのマスキング音は、表面部材１１２ａ、表面部材１１２ｂ、及び側壁２ｃによって反射されて、その反射音が天井２４の方向に向かう。従って、パーティションブース３２内の会話音声が空間４２に伝搬する方向と同じ方向となるようにマスキング音が放音されるので、空間４２にいる人にとって会話音声が聞き取りにくくなる。また、このようにスピーカ１０１を配置することで、表面部材１１２ａ、表面部材１１２ｂ及び側壁２ｃで囲まれた空間に放音されたマスキング音が、パーティション１０Ｅの上方の開口部全体から空間４２に放音されるので、スピーカ１０１の位置におけるマスキング音の定位感をより小さくすることができる。
【００４８】
（変形例１−３）
次に、本発明の変形例１−３に係るパーティション１０Ｆについて説明する。図１３は、本変形例に係るパーティション１０Ｆの断面図を示している。本変形例におけるパーティション１０Ｆは、空間４２側に位置する表面部材１１２ａとパーティションブース３２側に位置する表面部材１１２ｂの床面２２からの高さが同じである点と、パーティション１０Ｆの内部には、表面部材１１２ａ及び表面部材１１２ｂの上端より高くなるように遮蔽部材２１ｃが設けられている点において、変形例１−２のパーティション１０Ｅと異なっている。この遮蔽部材２１ｃは、スピーカ１０１を設置する設置部２１１と脚部２１２と遮蔽部２１３とを有し、表面部材１１２ａと表面部材１１２ｂとの間に挟持されている。
設置部２１１は、表面部材１１２ａの上端より下方にスピーカ１０１が設置されるように所定の高さの位置に設けられ、スピーカ１０１の放音方向が天井２４の方向となるようにスピーカ１０１が設置部２１１に設置されている。この点で、変形例１−２と共通である。
【００４９】
本変形例において、スピーカ１０１からマスキング音が放音された場合、パーティションブース３２内部へ向かうマスキング音は、遮蔽部２１３で遮蔽され、遮蔽部２１３で反射されて天井２４の方向へ向かい、天井２４で反射されて空間４２の方向へ伝搬される。また、天井２４の方向に向かうマスキング音は、天井２４で反射されて空間４２へ伝搬され、空間４２の方向に向かうマスキング音は、表面部材１１２ａの上端部分で回折して空間４２へ伝搬される。また、パーティションブース３２内で発せられた会話音声のうちパーティション１０Ｂに向かう音声は、パーティション１０Ｂで反射されて天井２４に向かい、天井２４で反射されて空間４２に伝搬される。また、天井２４に向かう音声は、天井２４で反射されて空間４２に向かい、パーティション１０Ｆの表面部材１１２ｂの方向に向かう音声は、遮蔽部２１３の上端部分で回折されて空間４２に伝搬される。このように、本変形例に係るパーティション１０Ｆを用いた場合も、パーティションブース３２内で発せられた音声の伝搬方向と、スピーカ１０１から放音されたマスキング音の伝搬方向が略同じ方向となり、空間４２にいる人にパーティションブース３２から漏出した音声を聞き取られないように効率良くマスキングすることができる。
【００５０】
（変形例１−４）
次に、本発明の変形例１−４に係るパーティション１０Ｇについて説明する。図１４(ａ)及び(ｂ)は、本変形例に係るパーティション１０Ｇの断面図を示している。本変形例におけるパーティション１０Ｇは、空間４２側に位置する表面部材１１２ａとパーティションブース３２側に位置する表面部材１１２ｂが同じ高さで構成されている点で、変形例１−３に係るパーティションと共通する。そして、パーティション１０Ｇを構成する表面部材１１２ａ及び表面部材１１２ｂの内側の面には、表面部材１１２ａ及び表面部材１１２ｂの上端から一定の範囲にフック又はループ状の面ファスナー等の接着部材が貼り付けられており、脚部を備えず、表面部材１１２ａ及び表面部材１１２ｂに設けられた面ファスナーに対して着脱自在の遮蔽部材２２ｃが設けられている点で、変形例１−３と異なっている。
【００５１】
遮蔽部材２２ｃは、図１４(ａ)に示すように、スピーカ１０１を設置する設置部２２１とスピーカ１０１から放音されるマスキング音を遮蔽するための遮蔽部２２２とを有するＬ字形状の部材で構成されている。表面部材１１２ａ又は表面部材１１２ｂに接する遮蔽部材２２ｃの面には、表面部材１１２ａ及び表面部材１１２ｂの内側の各面に貼り付けられた面ファスナーと貼り合せるためのフック又はループ状の面ファスナーが貼り付けられている（図示省略）。
なお、本変形例では、面ファスナーを用いて遮蔽板２２ｃをパーティション１０Ｇの内壁に貼り合せる例について説明するが、遮蔽部材２２ｃがパーティション１０Ｇの内壁に着脱自在である構成であれば、両面テープや磁石等の接着部材を用いてパーティション１０Ｇの内壁に遮蔽部材２２ｃを取り付けるようにしてもよい。
【００５２】
本変形例におけるパーティション１０Ｇは着脱自在な遮蔽板２２ｃを備えているので、パーティションブース３２の側にマスキング音が伝搬しないように遮蔽する場合には、図１４(ａ)のように、遮蔽板２２ｃを表面部材１１２ｂの内側の面に貼り付けるようにすればよい。また、例えば、表面部材１１２ａが位置する側にもブースが形成されている場合に、各ブースの利用状況に応じて遮蔽板２２ｃを図１４(ｂ)に示すように表面部材１１２ｂの内側の面に貼り付けてもよい。このように、遮蔽板２２ｃを表面部材１１２ａ又は表面部材１１２ｂの内側に自在に貼り付けることができるので、パーティション１０Ｇによって仕切られた空間の利用状況に応じてマスキング音を遮蔽する方向を容易に切替えることができる。
【００５３】
（変形例１−５）
上述の各変形例では、パーティション内に放音手段としてスピーカ１０１を設置する例について説明したが、一部が開口された箱の内部にスピーカ１０１を設置した放音手段を、パーティションの内部に設けるように構成してもよい。図１５(ａ)は、本変形例に係るパーティション１０Ｈの断面図である。
図１５(ａ)に示すように、本変形例に係るパーティション１０Ｈは、箱２３ｃがパーティション１０Ｈ内に設けられている点以外では変形例１−２と共通している。本変形例では、箱２３ｃの上面の少なくとも一部が開口されると共に、表面部材１１２ａ及び表面部材１１２ｂの各内側の面と対向する箱２３ｃ側面の一部が開口している。箱２３ｃの内部には、スピーカ１０１の放音方向が、箱２３ｃの開口部が設けられている面と異なる面方向、即ち、パーティション１０Ｈの表面部材１１２ａ及び１１２ｂを除く側壁の方向となるようにスピーカ１０１が設置されている。つまり、箱２３ｃからマスキング音が出射する方向とスピーカ１０１の放音方向(指向軸)とが一致しないように構成され、少なくともスピーカ１０１の放音方向又は箱２３ｃの開口部のいずれかが上方を向いていなければよい。
【００５４】
箱２３ｃ内で放音されて上面の開口部から出射したマスキング音は、天井２４の方向へ向かう。また、箱２３ｃ内で放音されて側面の開口部から放射されたマスキング音は表面部材１１２ａ及び表面部材１１２ｂと箱２３ｃの側面との間で反射されながら天井２４の方向に向かう。天井２４で反射されたマスキング音は、上述の各変形例と同様、パーティションブース３２内から会話音声が空間４２に伝搬する方向と略同じ方向で空間４２に伝搬される。本変形例では、箱２３ｃの開口部とスピーカ１０１の放音方向(指向軸)とが一致しないように構成されているため、パーティション１０Ｈの内部におけるスピーカ１０１から放音されるマスキング音の直接音がパーティション１０Ｈの外部に対して直接的に放音されない。そのため、スピーカ１０１の位置におけるマスキング音の定位感が小さくなり、表面部材１１２ａ近くにいる人にマスキング音の違和感を与えることなく、パーティションブース３２から伝搬された会話音声を効率的にマスキングすることができる。
【００５５】
（変形例１−６）
変形例１−５では、スピーカ１０１が設けられた箱２３ｃをパーティション内部に設ける例について説明したが、図１５(ｂ)に示すように、パーティション１０Ｊの一方の表面部材１１２ａに外付けして設置してもよい。この場合には、表面部材１１２ａの上端部より低い位置に、箱２３ｃの開口部が天井２４の方向となるように箱２３ｃを設置し、当該開口部が設けられた面を除く箱２３ｃの他の面には開口部を設けないように構成する。表面部材１１２ａの上端部より低い位置にスピーカ１０１が設置された箱２３ｃを設けることにより、箱２３ｃの位置から表面部材１１２ａの上端までの部分が遮蔽部として機能する。
箱２３ｃ内部に設けられたスピーカ１０１からのマスキング音が放音された場合、箱２３ｃの上面に設けられた開口部から共鳴されたマスキング音が放音され、表面部材１１２ｂの方向、即ち、パーティションブース３２の内側に向かうマスキング音は表面部材１１２ａによって遮蔽される。この場合には、空間４２に対してはマスキング音が伝搬されるように、表面部材１１２ａの上端部より床面に近い位置に、箱２３ｃを設置するためのフック又はループ状の面ファスナー等の接着部材を設けて箱２３ｃを設置する。また、この場合には、表面部材１１２ａと表面部材１１２ｂの上端部の高さは同じでもよく、パーティション１０Ｊの上面部分が開口されている必要はない。また、スピーカ１０１を箱２３ｃに入れずに、スピーカ１０１の放音方向が天井２４の方向となるように、スピーカ１０１そのものをパーティション１０Ｊの表面部材１１２ａに外付けするように構成してもよい。
【００５６】
（変形例１−７）
また、上述の各変形例では、パーティションに２つのスピーカ１０１を設け、パーティションの一方の壁面側のみへのマスキング音の放音方向を遮蔽する例について説明したが、図１６に示すパーティション１０Ｋのように構成してもよい。図１６に示すパーティション１０Ｋは、床面からの高さが同じ表面部材１１２ａ、表面部材１１２ｂ及び側壁１１２ｃを有し、表面部材１１２ａ、表面部材１１２ｂ及び側壁１１２ｃの上部には、スピーカ１０１Ｌ、１０１Ｒを設置する設置台２４１が設けられている。
また、設置台２４１の長手方向の両側の上端部と中間位置には、側壁１１２ｃと同じ幅を有する３枚の仕切板２４１ｃが側壁１１２ｃと平行に設置されている。そして、各仕切板２４１ｃの間には、表面部材１１２ｂと表面部材１１２ａの各々に沿うように遮蔽部２４ｄ１及び遮蔽部２４ｄ２が設けられている。また、図１６に示すように、遮蔽部２４ｄ１と表面部材１１２ｂの上端部分は開口し、遮蔽部２４ｄ２と表面部材１１２ａの上端部分が開口している。
遮蔽部２４ｄ１は、遮蔽部２４ｄ１側に設けられたスピーカ１０１Ｒからの表面部材１１２ａ側へ向かうマスキング音の伝搬経路を遮蔽し、遮蔽部２４ｄ２は、遮蔽部２４ｄ２側に設けられたスピーカ１０１Ｌからの表面部材１１２ｂ側へのマスキング音の伝搬経路を遮蔽する。
このような構成により、表面部材１１２ａと２４ｂのいずれの方向にもマスキング音を放音することができるため、パーティション１０Ｋの設置後にレイアウトの変更があったとしてもパーティション１０Ｋの向きを変えることなく所望するいずれかの方向にマスキング音を放音させることができる。また、パーティション１０Ｋを用いて複数のパーティションブース３２が形成される場合には、隣接する各ブースに対してマスキング音を放音させてもよいし、隣接するブースの利用状況に応じて一方のブースの方向にマスキング音を放音するように、いずれか一方の遮蔽部の側に設けられたスピーカからマスキング音を放音するようにしてもよい。
なお、スピーカ１０１Ｌとスピーカ１０１Ｒに放音させるマスキング音を変えて、一枚のパーティション１０Ｋから複数のマスキング音を放音させてもよい。
【００５７】
（変形例１−８）
上述した変形例１−２では、パーティション１０Ｅの上面部分が開口されている例について説明したが、図１７に示すように、パーティション１０Ｌの表面部材１１２ａに複数のスリット部Ｓまたは開口部Ｓを設けるように構成してもよい。このような構成によって、パーティション１０Ｅの上面の開口部分から伝搬されるマスキング音とスリット部Ｓまたは開口部Ｓから伝搬されるマスキング音とが混在することで、スリット部Ｓ又は開口部Ｓから発せられるマスキング音の定位感を和らげることができ、空間４２に対してマスキング音を違和感なく放音させることができる。
【００５８】
（変形例１−９）
上述した各変形例では、スピーカ１０１の放音方向が天井２４の方向となるようにパーティションに設置する例について説明したが、パーティション内部にスピーカ１０１を設置する場合、スピーカ１０１のマスキング音がパーティション内部からパーティション外部へ出力される方向が天井２４に向かう方向であれば、スピーカ１０１の放音方向が天井面の方向と異なる方向にスピーカ１０１の向きを設定してもよい。例えば、図１８に示すように、上面部分が開口されたパーティション１０Ｍ内の表面部材１１２ａの内側の面（または表面部材１１２ｂの内側の面）に、スピーカ１０１の放音方向が表面部材１１２ｂ（または表面部材１１２ａ）の方向(矢印Ｔ)となるように設置してもよい。そして、表面部材１１２ａの上端は表面部材１１２ｂの上端よりも低くなっている。このようにスピーカ１０１を設置した場合には、スピーカ１０１から放音されたマスキング音は、表面部材１１２ａ及び表面部材１１２ｂの内側の面で反射を繰り返して、表面部材１１２ａの上端の上方を通って天井方向へと出力され、さらに空間４２へと放音される。
【００５９】
（変形例１−１０）
上述した変形例１−３では、着脱自在なＬ字形状の遮蔽部材２２ｃをパーティションに設ける例について説明したが、スピーカ１０１からのマスキング音を遮蔽する遮蔽方向を規制することができる構成であればこれに限らない。
このようなパーティションの例について図１９を用いて説明する。図１９は、本変形例に係るパーティションの断面図を示している。図１９(ａ)に示すように、パーティション１０Ｎ内部の所定位置にスピーカ１０１を設け、パーティション１０Ｎの上面部分を覆う遮蔽部材２７ｃを設ける。この遮蔽部材２７ｃは、表面部材１１２ａ及び表面部材１１２ｂの各上端部分において着脱できるように構成されている。例えば、遮蔽部材２７ｃを表面部材１１２ａの上端部分に装着した状態で、遮蔽部材２７ｃを天井面方向に持ち上げると、図１９(ｂ)に示すように、パーティション２７の上面部分(破線部)が開口する。このとき、遮蔽部材２７ｃは表面部材１１２ａの上端部に配置されて表面部材１１２ａの側が表面部材１１２ｂより高くなり、表面部材１１２ａの側へ向かうマスキング音の伝搬経路を遮蔽部材２７ｃにより遮蔽することができる。また、遮蔽部材２７ｃを表面部材１１２ｂの上端部分に装着した状態で、遮蔽部材２７ｃを天井面方向に持ち上げると、図１９(ｃ)に示すように、パーティション２７の上面部分(破線部)が開口する。このとき、遮蔽部材２７ｃは表面部材１１２ｂの上端部に配置されて表面部材１１２ｂの側が表面部材１１２ａより高くなり、表面部材１１２ｂの側へ向かうマスキング音の伝搬経路を遮蔽部材２７ｃにより遮蔽することができる。
【００６０】
（変形例１−１１）
なお、上述した各変形例において、パーティションに設けられたスピーカ１０１にマスキング音を放音させる場合、例えば、パーティションの内部又は外部に、スピーカ１０１にマスキング音を放音させる放音制御装置を設置し、各スピーカ１０１と放音制御装置とを有線又は無線により接続してもよい。この場合における放音制御装置とスピーカ１０１の構成例を図２０に示す。図２０に示すように、放音制御装置３０は、音源３０１、操作部３０２、信号処理部３０３、及び制御部３０４を含んで構成されている。
【００６１】
音源３０１は、制御部３０４の制御の下、予め定められたマスキング音を生成または読み出して音信号を出力する機能を有し、操作部３０２は、放音制御装置３０の電源のオンオフを切替える操作ボタン、スピーカ１０１に放音させるマスキング音のボリューム値の変更操作等を行う操作ボタン等を有し、ユーザーから受付けたスイッチ操作を示す操作信号を制御部３０４へ出力する機能を有する。
【００６２】
信号処理部３０３は、制御部３０４の制御の下、音源３０１によって出力されたマスキング音を示す信号に所定の信号処理を施し、そのマスキング音の信号とマスキング音のボリューム値を示す情報とを各スピーカ１０１に送出する機能を有する。
また、制御部３０４は、ＣＰＵ(Central  Processing  Unit)、ＲＯＭ(Read  Only  Memory)及びＲＡＭ(Random  Access  Memory)を含んで構成されており、制御部３０４と接続されている各部を制御する機能を有する。
スピーカ１０１は、アンプを含んで構成されており、放音制御装置３０から送出されたマスキング音の音信号に所定の増幅処理を施して放音する。
【００６３】
放音制御装置３０の制御部３０４は、ユーザーが操作部３０２の電源ボタンをオンにする操作を行うと、音源３０１においてマスキング音を生成または読み出して信号処理部３０３へ出力し、信号処理部３０３において信号処理が施されたマスキング音の音信号を各スピーカ１０１へ出力する。各スピーカ１０１は、放音制御装置３０から出力されたマスキング音の音信号に所定の増幅処理を施してマスキング音を放音する。
また、放音制御装置３０の制御部３０４は、ユーザーによって操作部３０２の電源ボタンをオフにする操作が行われると、音源３０１におけるマスキング音の生成を停止し、信号処理部３０３から各スピーカ１０１への音信号の出力を停止する。
【００６４】
（変形例１−１２）
上述した各変形例では、パーティションに設けられるスピーカ１０１の放音方向が天井方向となるように配置する例を説明したが、スピーカ１０１は、例えば、図２１に示すように、パーティション１０Ｐにおいて、スピーカ１０１から発するマスキング音の放音方向が天井２４側となるようにスピーカ１０１を表面部材１１２ａまたは表面部材１１２ｂの面方向（鉛直方向）に対して傾けて配置し、且つ放音方向（スピーカ１０１の指向軸）が天井２４側となる（天井２４に交差する）ように配置すればよい。図２１のように、パーティションブース３２内から発せられる音声が空間４２に向かう伝搬経路Ａの方向と、マスキング音の伝搬経路Ｂ方向とがほぼ重なりつつ、スピーカ１０１を鉛直方向から所定角度傾けて伝搬経路Ｂの方向とスピーカ１０１の指向軸の方向とを一致させるように配置することで、受音点Ｙに至る天井面の反射点に向かうマスキング音のレベルが増大し、空間４２においてパーティションブース３２内の会話音声をより聞き取りにくくすることができる。また、複数のスピーカによって、スピーカ１０１をスピーカアレイとして構成してもよい。この場合においては、スピーカアレイの音響ビームの方向（放音方向）が天井側を向いていればよい。さらに、スピーカ１０１を単一のスピーカあるいはスピーカアレイを用いて構成する場合において、複数の放音方向が設定される場合はいずれかの放音方向が天井側を向いていればよい。
【００６５】
（変形例１−１３）
音声をマスキングする構成を設けたパーティションの構造の一例を説明する。図２２は、パーティション１０Ｑの平面図及び縦断面図を示している。
図において、芯材１１４はペーパーハニカムコアである。表面部材１１２はスチール板にクロス材が貼られたものである。吸音材１２４は、グラスウールである。表面部材１１２は、スチール板にクロス材が貼られたものであり、複数のスリットが設けられている。第１の領域１１０の上部においては、スチール板からなる筐体１９０にグラスウール１９１が充填されて空間が形成されており、その空間にスピーカ１０１が設けられている。第１の領域の上端部２００には開口部が設けられているとともに、その開口部に近いほうの筐体１９０の上端がその開口部から遠いほうの筐体１９０の上端よりも低くなっている。スピーカ１０１から放音された音は、矢印ｔで示すように、開口部及びこの開口部に近いほうの筐体１９０の上端の上方を通って空間４２へと向かう。脚部１３０は、床面２２から、床面より５０ｍｍの位置までの高さ方向の範囲を有する。第２の領域１２０は、床面から５０ｍｍの位置から、床面から３５０ｍｍの位置までの高さ方向の範囲を有する。第１の領域１１０は、床面から３５０ｍｍの位置から、床面から１８００ｍｍの位置までの高さ方向の範囲を有する。
【００６６】
（変形例２）
上記実施形態及び各変形例において、各パーティションや壁面は第１の領域及び第２の領域という２つの領域を有していたが、３つ以上の領域を有していてもよい。この場合、３つのうちのいずれか２つの領域が、“その２つの領域のうち一方の領域が、他方の領域よりも高い吸音率を有し、パーティションが床面に立設されたときに上記他方の領域よりも床面に近くなる位置に設けられている”という条件を満たすのであれば、本発明の内容に含まれることになる。また、各パーティションや壁面が、床面に近づくに従って連続的に吸音率が高くなるような領域を備えている場合であっても、“連続的に吸音率が高くなるような領域中の一部分の領域が、他の部分の領域よりも高い吸音率を有し、パーティションが床面に立設されたときに上記他の部分の領域よりも床面に近くなる位置に設けられている”という条件を満たすのであれば、本発明の内容に含まれることになる。
【符号の説明】
【００６７】
１０，５０…パーティション、６０…第１の吸音手段、７０…第２の吸音手段、１００，５００…本体部、１１０，５１０…第１の領域、１１２，１２２，５０２…表面部材、１１４，５０４…芯材、１２０，５２０…第２の領域、１２４…吸音材、１３０…脚部
【図１】
2012188904.tif 000003
【図２】
2012188904.tif 000004
【図３（ａ）】
2012188904.tif 000005
【図３（ｂ）】
2012188904.tif 000006
【図４】
2012188904.tif 000007
【図５】
2012188904.tif 000008
【図６（ａ）】
2012188904.tif 000009
【図６（ｂ）】
2012188904.tif 000010
【図７】
2012188904.tif 000011
【図８】
2012188904.tif 000012
【図９】
2012188904.tif 000013
【図１０】
2012188904.tif 000014
【図１１】
2012188904.tif 000015
【図１２】
2012188904.tif 000016
【図１３】
2012188904.tif 000017
【図１４】
2012188904.tif 000018
【図１５】
2012188904.tif 000019
【図１６】
2012188904.tif 000020
【図１７】
2012188904.tif 000021
【図１８】
2012188904.tif 000022
【図１９】
2012188904.tif 000023
【図２０】
2012188904.tif 000024
【図２１】
2012188904.tif 000025
【図２２】
2012188904.tif 000026
【手続補正書】
【提出日】平成23年8月16日(2011.8.16)
【手続補正１】
【補正対象書類名】特許請求の範囲
【補正対象項目名】全文
【補正方法】変更
【補正の内容】
【特許請求の範囲】
【請求項１】
床面に立設されるパーティションであって、
第１の領域と、
前記第１の領域よりも高い吸音率を有し、当該パーティションが床面に立設されたときに前記第１の領域よりも前記床面に近くなる位置に設けられた第２の領域と
を有することを特徴とするパーティション。
【請求項２】
前記第２の領域は、
当該パーティションと他のパーティションとに挟まれた又は当該パーティションと壁面とに挟まれた第１の空間から発せられ、当該第１の空間以外の第２の空間に伝搬する音声の伝搬経路上の領域であり、
前記伝搬経路は、
前記パーティションが立設されている空間に面する天井を反射面として含む伝搬経路である
ことを特徴とする請求項１に記載のパーティション。
【請求項３】
前記第２の領域は、
当該パーティションと他のパーティションとに挟まれた第１の空間以外の第２の空間から発せられ、当該第１の空間に伝搬する音声の伝搬経路上の領域であり、
前記伝搬経路は、
前記パーティションが立設されている空間に面する天井を反射面として含む伝搬経路である
ことを特徴とする
請求項１に記載のパーティション。
【請求項４】
当該パーティションと他のパーティションとに挟まれた空間に隣接する空間の壁面よりも高い吸音率を有する吸音手段であって、当該壁面において、前記パーティションの前記第２の領域と同じ高さの位置に設けられた吸音手段をさらに備える
ことを特徴とする請求項１から３のいずれかに記載のパーティション。
【手続補正３】
【補正対象書類名】明細書
【補正対象項目名】０００１
【補正方法】変更
【補正の内容】
【０００１】
本発明は、パーティションに関する。
【手続補正４】
【補正対象書類名】明細書
【補正対象項目名】０００２
【補正方法】変更
【補正の内容】
【０００２】
図７は、従来のパーティションに対する反射音の伝搬経路の一例を示す図である。図７に示す室内７００には、パーティション７０２Ａ、パーティション７０２Ｂ、およびパーティション７０２Ｃが設置されている。これにより、室内７００には、空間７１２、空間７１４、空間７１６、空間７１８が形成されている。たとえば、これらのパーティションは、スチール板、アルミ板などの平板状の部材で表面が覆われている。このため、伝搬経路７３２が示すように、空間７１４の人物７２２から発せられ、パーティション７０２Ｂの下方に向かう音声は、パーティション７０２Ｂの下方、天井、および室内７００の壁面で反射され、空間７１２の人物７２４まで伝搬してしまう。また、伝搬経路７３４が示すように、人物７２２から発せられ、天井に向かう音声は、天井およびパーティション７０２Ｃの下方で反射され、空間７１６の人物７２６まで伝搬しまう。また、伝搬経路７３６が示すように、人物７２２から発せられ、床面に向かう音声は、床面、天井、およびパーティション７０２Ｃの下方で反射され、人物７２６まで伝搬してしまう。同様の原理から、人物７２４から発せられた音声は、人物７２２および人物７２６に伝搬してしまい、人物７２６から発せられた音声は、人物７２２および人物７２４まで伝搬してしまう。このように、空間７１２、空間７１４、空間７１６、空間７１８のいずれかの空間から発せられた音声は、少なくとも、パーティションが設置されている空間全体（空間７１２〜７１８）に面する天井で反射されて、さらに別の空間に伝搬する。
【手続補正５】
【補正対象書類名】明細書
【補正対象項目名】０００５
【補正方法】変更
【補正の内容】
【０００５】
しかしながら、特許文献１に記載の技術では、音声が天井を反射して外部に漏出することを抑制することができない。また、特許文献２に記載の技術では、衝立の全面に亘って吸音材層が設けられているため、音声を過度に吸音してしまい、無響室にいるかのような違和感を、パーティションブース内のユーザーに感じさせてしまうなどの問題が生じる。このように、従来技術では、音声が天井で反射されて外部に漏出することを抑制するという課題と、パーティションブース内の音声を過度に吸音しないという課題とを、同時に解決することができない。
そこで、本発明は、パーティションブースの外部に漏出する音声を軽減するという課題と、パーティションブース内において音声を過度に吸音しないという課題とを、同時に解決することができる、パーティションを提供することを目的とする。
【手続補正６】
【補正対象書類名】明細書
【補正対象項目名】０００６
【補正方法】変更
【補正の内容】
【０００６】
上記課題を解決するため、本発明は、床面に立設されるパーティションであって、第１の領域と、前記第１の領域よりも高い吸音率を有し、当該パーティションが床面に立設されたときに前記第１の領域よりも前記床面に近くなる位置に設けられた第２の領域とを有することを特徴とするパーティションを提供する。前記第２の領域は、当該パーティションと他のパーティションとに挟まれた又は当該パーティションと壁面とに挟まれた第１の空間から発せられ、当該第１の空間以外の第２の空間に伝搬する音声の伝搬経路上の領域であり、前記伝搬経路は、前記パーティションが立設されている空間に面する天井を反射面として含む伝搬経路であってもよい。前記第２の領域は、当該パーティションと他のパーティションとに挟まれた第１の空間以外の第２の空間から発せられ、当該第１の空間に伝搬する音声の伝搬経路上の領域であり、前記伝搬経路は、前記パーティションが立設されている空間に面する天井を反射面として含む伝搬経路であってもよい。また、当該パーティションと他のパーティションとに挟まれた空間に隣接する空間の壁面よりも高い吸音率を有する吸音手段であって、当該壁面において、前記パーティションの前記第２の領域と同じ高さの位置に設けられた吸音手段をさらに備えてもよい。
【手続補正７】
【補正対象書類名】明細書
【補正対象項目名】０００８
【補正方法】変更
【補正の内容】
【０００８】
【図１】実施形態に係るパーティション１０の外観を示す。
【図２】パーティション１０の断面を示す。
【図３（ａ）】パーティションの設置例を示す。
【図３（ｂ）】パーティションの設置例を示す。
【図４】パーティションブースの減音性能のシミュレーション結果を示す。
【図５】パーティションの他の構成例を示す。
【図６（ａ）】パーティションの他の設置例を示す。
【図６（ｂ）】パーティションの他の設置例を示す。
【図７】従来のパーティションに対する音響シミュレーションの結果を示す。
【図８】変形例における各領域を説明する図である。
【図９】(ａ)は、変形例１に係るパネルの例を示す斜視図である。(ｂ)は、(ａ)に示すパネルの断面図である。
【図１０】変形例１における会話音声及びマスキング音の伝搬経路を説明する図である。
【図１１】(ａ)は、変形例２に係るパネルの例を示す斜視図である。(ｂ)は、(ａ)に示すパネルの断面図である。
【図１２】変形例２における会話音声及びマスキング音の伝搬経路を説明する図である。
【図１３】変形例３に係るパネルの例を示す断面図である。
【図１４】(ａ)は、変形例４に係るパネルの例を示す断面図である。(ｂ)は、(ａ)に示すパネルの断面図である。
【図１５】(ａ)は、変形例５に係るパネルの例を示す断面図である。(ｂ)は、変形例６に係るパネルの例を示す側面図である。
【図１６】変形例７に係るパネルの例を示す断面図である。
【図１７】変形例８に係るパネルの例を示す断面図である。
【図１８】変形例９に係るパネルの例を示す断面図である。
【図１９】(ａ)〜(ｃ)は、変形例１０に係るパネルの例を示す断面図である。
【図２０】変形例１１に係る放音制御装置とスピーカの構成を示すブロック図である。
【図２１】変形例１２のスピーカの設置例を説明する図である。
【図２２】変形例１２のパーティション１０の平面図及び縦断面図である。
【手続補正８】
【補正対象書類名】明細書
【補正対象項目名】００１１
【補正方法】変更
【補正の内容】
【００１１】
図３（ａ）、図３（ｂ）は、パーティションの設置例を示す。図３（ａ）、図３（ｂ）のいずれにおいても、室内２０には、パーティションとして、パーティション１０Ａ、パーティション１０Ｂ、およびパーティション１０Ｃが設置されている。以下の説明では、これらのパーティション１０をまとめて「各パーティション１０」と示す。室内２０の床面２２には、各パーティション１０が並べて立設されている。これにより、室内２０には、パーティション１０Ａとパーティション１０Ｂとに挟まれた空間であるパーティションブース３０が形成されている。また、室内２０には、パーティション１０Ｂとパーティション１０Ｃとに挟まれた空間であるパーティションブース３２が形成されている。また、室内２０には、パーティション１０Ａと、パーティション１０Ａと対向する壁面２６とに挟まれた空間であって、パーティションブース３０に隣接する空間４０が形成されている。また、室内２０には、パーティション１０Ｃと、パーティション１０Ｃと対向する壁面２８とに挟まれた空間であって、パーティションブース３２に隣接する空間４２が形成されている。床面２２から天井２４までの高さは、各パーティション１０の高さよりも高い。このため、各パーティション１０と天井２４との間には、隣接する空間への音漏れの経路となり得る隙間が形成されている。
【手続補正９】
【補正対象書類名】明細書
【補正対象項目名】００１５
【補正方法】変更
【補正の内容】
【００１５】
パーティションブース３０を形成するパーティション１０Ａおよびパーティション１０Ｂの各第１の領域１１０には、吸音材１２４のような吸音手段が設けられていない。たとえば、パーティション１０Ｂの第１の領域１１０に向かう音声は、第１の領域１１０の表面に対して、パーティション１０Ｂの第２の領域１２０に向かう音声よりも垂直に近い角度で入射される。このため、パーティション１０Ｂの第１の領域１１０に向けて発せられた音声は、その殆どがパーティションブース３０内で反響する。よって、パーティションブース３０内で音声の適度な響きを確保することができる。また、パーティション１０Ｂの第１の領域１１０の上方に向かう音声は、パーティション１０Ａの上端と天井２４との隙間からほぼ水平方向に漏出する音声となるが、パーティション１０Ａの回折効果（いわゆる塀の遮音効果）により減衰するので、隣接する空間への漏出は少ない。このように、図３（ａ）、図３（ｂ）に示すパーティションによれば、パーティションブース３０内で発せられた音声のうち、隣接する空間への漏れに関連する成分を第２の領域１２０で吸音する一方、漏れに関連しない成分は第１の領域１１０ではあまり吸音しないため、無響室にいるかのような違和感をユーザーに与えたりすることがない。また、パーティションブース３０内で発せられた音声のうち、天井に向かって反響し、隣接する空間に漏れやすい成分を、第２の領域１２０という吸音手段で吸音するため、パーティションブース３０内の音声を適度に吸音することができる。同様に、パーティションブース３２を形成するパーティション１０Ｂおよびパーティション１０Ｃの各第１の領域１１０には、吸音材１２４のような吸音手段が設けられていない。このため、図３（ａ）、図３（ｂ）に示すパーティションによれば、無響室にいるかのような違和感をユーザーに与えたりすることがないよう、パーティションブース３２内の音声を適度に吸音することができる。
【手続補正１０】
【補正対象書類名】明細書
【補正対象項目名】００１８
【補正方法】変更
【補正の内容】
【００１８】
図５は、パーティションの他の構成例を示す。図５に示すパーティションは、パーティション５０および第１の吸音手段６０を備える。パーティション５０は、床面に立設される。パーティション５０は平板状の本体部５００および脚部５３０を備える。脚部５３０は、立設された状態の本体部５００を支持する。パーティション５０は、立設されることで、空間を複数の空間に分割する。本体部５００は、平板状の表面部材５０２、および表面部材５０２によって両表面が覆われている芯材５０４を有する。図５に示す例では、表面部材５０２に、スチール板を用いている。
【手続補正１１】
【補正対象書類名】明細書
【補正対象項目名】００２１
【補正方法】変更
【補正の内容】
【００２１】
図６（ａ）、図６（ｂ）は、パーティションの他の設置例を示す。図６（ａ）、図６（ｂ）のいずれにおいても、室内２０には、パーティションとして、パーティション５０Ａ、パーティション５０Ｂ、およびパーティション５０Ｃが設置されている。以下の説明では、これらのパーティション５０をまとめて「各パーティション５０」と示す。室内２０の床面２２には、各パーティション５０が並べて立設されている。これにより、室内２０には、パーティション５０Ａとパーティション５０Ｂとに挟まれた空間であるパーティションブース８０が形成されている。また、室内２０には、パーティション５０Ｂとパーティション５０Ｃとに挟まれた空間であるパーティションブース８２が形成されている。また、室内２０には、パーティション５０Ａと、パーティション５０Ａと対向する壁面２６とに挟まれた空間であって、パーティションブース８０に隣接する空間９０が形成されている。また、室内２０には、パーティション５０Ｃと、パーティション５０Ｃと対向する壁面２８とに挟まれた空間であって、パーティションブース８２に隣接する空間９２が形成されている。床面２２から天井２４までの高さは、各パーティション５０の高さよりも高い。このため、各パーティション５０と天井２４との間には、隣接する空間への音漏れの経路となり得る隙間が形成されている。
【手続補正１２】
【補正対象書類名】明細書
【補正対象項目名】００３３
【補正方法】変更
【補正の内容】
【００３３】
パーティションブース８０を形成するパーティション５０Ａおよびパーティション５０Ｂのそれぞれの第１の領域５１０には、第１の吸音手段６０Ａ〜６０Ｄのような吸音手段が設けられていない。たとえば、パーティション５０Ｂの第１の領域５１０に向かう音声は、第１の領域５１０の表面に対して、パーティション５０Ｂの第２の領域５２０に向かう音声よりも垂直に近い角度で入射される。このため、パーティション５０Ｂの第１の領域５１０に向かう音声は、その殆どがパーティションブース８０内で反響する。よって、パーティションブース８０内で音声の適度な響きを確保することができる。また、パーティション５０Ｂの第１の領域５１０の上方に向かう音声は、パーティション５０Ａの上端と天井２４との隙間からほぼ水平方向に漏出する音声となるが、パーティション５０Ａの回折効果による減衰するので、隣接する空間への漏出は少ない。このように、図６（ａ）、図６（ｂ）に示したパーティションによれば、パーティションブース８０内で発せられた音声のうち、隣接する空間への漏れに関連する成分のみを第２の領域５２０で吸音する一方、漏れに関連しない成分は第１の領域５１０ではあまり吸音しないため、無響室にいるかのような違和感をユーザーに与えたりすることがない。同様に、パーティションブース８２を形成するパーティション５０Ｂおよびパーティション５０Ｃのそれぞれの第１の領域５１０には、第１の吸音手段６０Ａ〜６０Ｄのような吸音手段が設けられていない。このため、図６（ａ）、図６（ｂ）に示したパーティションによれば、無響室にいるかのような違和感をユーザーに与えたり、音声が不鮮明になったりすることがないように、パーティションブース８２内の音声を適度に吸音することができる。
【手続補正１３】
【補正対象書類名】明細書
【補正対象項目名】００３４
【補正方法】変更
【補正の内容】
【００３４】
同様に、空間９０を形成する壁面２６の第１の領域５１０には、第２の吸音手段７０Ａのような吸音手段が設けられていない。このため、図６（ａ）、図６（ｂ）に示したパーティションによれば、無響室にいるかのような違和感をユーザーに与えたりすることがないように、空間９０内の音声を適度に吸音することができる。同様に、空間９２を形成する壁面２８の第１の領域５１０には、第２の吸音手段７０Ｂのような吸音手段が設けられていない。このため、図６（ａ）、図６（ｂ）に示したパーティションによれば、無響室にいるかのような違和感をユーザーに与えたりすることがないように、空間９２内の音声を適度に吸音することができる。
【手続補正１４】
【補正対象書類名】明細書
【補正対象項目名】００３５
【補正方法】変更
【補正の内容】
【００３５】
パーティションは、図３（ａ）、図３（ｂ）に示したパーティションに、第２の吸音手段７０Ａ、７０Ｂをさらに備えて構成であってもよい。また、パーティションは、パーティション１０と、パーティション５０とが混在する構成であってもよい。図６（ａ）、図６（ｂ）に示したパーティションは、第１の吸音手段６０および第２の吸音手段７０の双方を備えているが、これに限らない。たとえば、パーティションは、第１の吸音手段６０および第２の吸音手段７０のいずれか一方を備える構成であってもよい。第１の吸音手段６０は、パーティション５０に限らず、たとえば、床面２２または天井２４の、天井２４で反射されて隣室へ漏出する音声の伝搬系路上、または天井２４で反射されて隣室から漏出される音声の伝搬系路上に設けてもよい。また、第２の吸音手段７０は、壁面２６および壁面２８に限らず、床面２２または天井２４の、天井２４で反射されて隣室へ漏出する音声の伝搬系路上、または天井２４で反射されて隣室から漏出される音声の伝搬系路上に設けてもよい。
【手続補正１５】
【補正対象書類名】明細書
【補正対象項目名】００３７
【補正方法】変更
【補正の内容】
【００３７】
天井２４で反射されて隣室へ漏出する音声の伝搬経路、および天井２４で反射されて隣室から漏出される音声の伝搬経路は、パーティションの配置位置、パーティションの形状、パーティションのサイズ、空間の形状、空間のサイズ、障害物の有無、天井２４の材質、床面２２の材質、壁面２６および壁面２８の材質など、パーティションの設置条件によって変化する。このため、パーティションの設置条件に応じて、パーティション１０における第２の領域１２０の構成、材質、形状、大きさ、および位置の少なくともいずれか一つを異ならせてもよい。また、パーティションの設置条件に応じて、第１の吸音手段６０の構成、材質、形状、大きさ、および位置の少なくともいずれか一つを異ならせてもよい。また、パーティションの設置条件に応じて、第２の吸音手段７０の構成、材質、形状、大きさ、および位置の少なくともいずれか一つを異ならせてもよい。